(57)【要約】    【課題】  紙若しくはその他のシート材又は種々の平面等に描かれた地図或いは地図画像等であって等高線を含むものに基づいて所定傾斜部表示地図を効率的に作成する方法、装置及びプログラムの提供。    【解決手段】  各所定傾斜(20度、40度、50度)に対応する隣接等高線間の地図上の幅に相当するピクセル数を算出する。各ピクセル座標を中心として、θ１に対応するＬ１を直径とする円周を構成するピクセル座標を算出する。円周のピクセル座標が等高線を構成するピクセル座標と重ならない場合は、その円周及び円内を、指標Ａとして記憶する。同様にθ２についての円周を構成するピクセル座標が等高線又は指標Ａと重ならない場合は、その円周及び円内を指標Ｂとして記憶する。同様にθ３についての円周を構成するピクセル座標が、等高線又は指標Ａと重ならない場合は、その円周及び円内を、指標Ｃとして記憶する。記憶された指標A−Cと地図画像を表示する。【選択図】      図３
2006133253.tif 000002
【特許請求の範囲】
【請求項１】
等高線を含む地図における所定傾斜以下の部分に対し所定指標を表示することにより所定傾斜部表示地図を作成する方法であって、
前記地図上における少なくとも所定範囲に、満遍なく中心点を設定し、
その全ての中心点について、各中心点を中心とし前記所定傾斜に対応する隣接等高線間の地図上の幅を直径とする円と前記等高線とが重ならない場合に、その円内および／または円近傍の所定位置に前記所定指標を表示することを特徴とする所定傾斜部表示地図作成方法。
【請求項２】
上記所定傾斜が複数種あり、
上記地図上における少なくとも所定範囲に、前記各所定傾斜について同一および／または異なる中心点を満遍なく設定し、
前記各所定傾斜についての全ての中心点について、各中心点を中心とし前記所定傾斜に対応する隣接等高線間の地図上の幅を直径とする円と前記等高線とが重ならない場合に、その円内および／または円近傍の所定位置に、各所定傾斜毎の所定指標を表示する請求項１記載の所定傾斜部表示地図作成方法。
【請求項３】
上記所定傾斜が複数種あり、
上記地図上における少なくとも所定範囲に、前記各所定傾斜について同一および／または異なる中心点を満遍なく設定し、
前記所定傾斜のうち最も小さい所定傾斜についての全ての中心点について、各中心点を中心とし前記所定傾斜に対応する隣接等高線間の地図上の幅を直径とする円と前記等高線とが重ならない場合に、その円内および／または円近傍の所定位置に、前記所定傾斜についての所定指標を表示し、
より大きい所定傾斜についての全ての中心点について、各中心点を中心とし前記所定傾斜に対応する隣接等高線間の地図上の幅を直径とする円と、前記等高線又はより小さい所定傾斜についての所定指標とが重ならない場合に、前記のより大きい所定傾斜についての円内および／または円近傍の所定位置に、前記のより大きい所定傾斜についての所定指標を表示する請求項１記載の所定傾斜部表示地図作成方法。
【請求項４】
コンピュータに請求項１、２又は３記載の所定傾斜部表示地図作成方法を実行させるための所定傾斜部明示地図作成プログラム。
【請求項５】
等高線を含む地図における所定傾斜以下の部分に対し所定指標を表示することにより所定傾斜部表示地図を作成する装置であって、
前記地図上における少なくとも所定範囲に、所定規則に従いほぼ満遍なく中心点を設定する中心点設定手段と、
前記中心点設定手段により設定された全ての中心点について、各中心点を中心とし前記所定傾斜に対応する隣接等高線間の地図上の幅を直径とする円と前記等高線とが重ならない場合に、その円内および／または円近傍の所定位置に前記所定指標を表示する所定指標表示手段を備えることを特徴とする所定傾斜部明示地図作成装置。
【請求項６】
上記所定傾斜が複数種あり、
上記中心点設定手段は、上記地図上における少なくとも所定範囲に、前記各所定傾斜について同一および／または異なる中心点を満遍なく設定するものであり、
上記所定指標表示手段は、前記各所定傾斜についての全ての中心点について、各中心点を中心とし前記所定傾斜に対応する隣接等高線間の地図上の幅を直径とする円と前記等高線とが重ならない場合に、その円内および／または円近傍の所定位置に、各所定傾斜毎の所定指標を表示する請求項５記載の所定傾斜部表示地図作成装置。
【請求項７】
上記所定傾斜が複数種あり、
上記中心点設定手段は、上記地図上における少なくとも所定範囲に、前記各所定傾斜について同一および／または異なる中心点を満遍なく設定するものであり、
上記所定指標表示手段は、前記所定傾斜のうち最も小さい所定傾斜についての全ての中心点について、各中心点を中心とし前記所定傾斜に対応する隣接等高線間の地図上の幅を直径とする円と前記等高線とが重ならない場合に、その円内および／または円近傍の所定位置に、前記所定傾斜についての所定指標を表示し、
より大きい所定傾斜についての全ての中心点について、各中心点を中心とし前記所定傾斜に対応する隣接等高線間の地図上の幅を直径とする円と、前記等高線又はより小さい所定傾斜についての所定指標とが重ならない場合に、前記のより大きい所定傾斜についての円内および／または円近傍の所定位置に、前記のより大きい所定傾斜についての所定指標を表示する請求項５記載の所定傾斜部表示地図作成装置。
【請求項８】
上記地図の画像を記憶する地図画像記憶手段と、その地図画像記憶手段に記憶された地図画像を表示する地図画像表示手段を備え、
上記所定指標表示手段が、上記中心点設定手段により設定された全ての中心点について、各中心点を中心とし前記所定傾斜に対応する隣接等高線間の地図上の幅を直径とする円と前記等高線とが重ならない場合に、その円内および／または円近傍の所定位置について前記所定指標を記憶する所定指標記憶手段を有し、その所定指標記憶手段に記憶された所定指標を表示するものであり、
前記地図画像表示手段により表示される前記地図画像における対応位置に、前記所定指標表示手段により前記所定指標が表示される請求項４又は５記載の所定傾斜部表示地図作成装置。
【発明の詳細な説明】
【技術分野】
【０００１】
本発明は、紙若しくはその他のシート材又は種々の平面等に描かれた地図或いは地図画像等であって等高線を含むものに基づいて所定傾斜部表示地図を作成する方法、装置及びプログラムに関する。
【背景技術】
【０００２】
斜面に生じる自然災害である斜面崩壊、土石流、地すべり等の発生は斜面の傾斜度に依存する場合が多い。このような自然災害を未然に防ぐために、急傾斜地については、防災施設・設備が設けられている。
【０００３】
防災設備等を設けるべき急傾斜地を指定する場合、先ず机上調査によって仮の急傾斜地域指定を行い、次いで、仮指定された地域について現地調査（測量）を行い、最終的な指定が行われる。従って、机上調査で急傾斜地の抽出漏れが発生した場合は現地調査すら行われないという致命的な問題を生じることになる。
【０００４】
机上調査は、通常の場合GISソフト（地理情報システム：Geographic Information System）と数値地図を用いて行われる。数値地図とは、座標等の数値情報を含んだ地図であり、その数値地図をコンピュータ上で利用するためにGISソフトが利用される。この手法は近年のパーソナルコンピュータの急速な発達により、一般的に普及し利用されるに至っている。
【０００５】
しかしながら、紙面地図は数値地図に比し普及度は極めて高い。日本国内の地図についても、普及度及び費用等の点で紙面地図の方が利用し易い。また外国の地図については紙面地図を入手することになるのが通例である。
【０００６】
特許第３１８５５７７号公報（特許文献１）には、少なくとも等高線が描かれた地図情報に基づき、等高線間の領域を標高等に応じた所望の印刷色に設定し、標高等によって異なる各種の分布状況を印刷地図に表現できる地図作成システムについての記載がある。しかしながら特許第３１８５５７７号公報記載の発明は、傾斜の度合いに応じて色を変えるものではなく、紙面地図を用いることもできない。
【特許文献１】特許第３１８５５７７号公報
【発明の開示】
【発明が解決しようとする課題】
【０００７】
本発明は、従来技術に存した上記のような課題に鑑み行われたものであって、その目的とするところは、紙若しくはその他のシート材又は種々の平面等に描かれた地図或いは地図画像等であって等高線を含むものに基づいて所定傾斜部表示地図を効率的に作成する方法、装置及びプログラムを提供することにある。
【課題を解決するための手段】
【０００８】
(1)  上記目的を達成する本発明の所定傾斜部表示地図作成方法は、
等高線を含む地図における所定傾斜以下の部分に対し所定指標を表示することにより所定傾斜部表示地図を作成する方法であって、
前記地図上における少なくとも所定範囲に、満遍なく中心点を設定し、
その全ての中心点について、各中心点を中心とし前記所定傾斜に対応する隣接等高線間の地図上の幅を直径とする円と前記等高線とが重ならない場合に、その円内および／または円近傍の所定位置に前記所定指標を表示することを特徴とする。
【０００９】
また本発明の所定傾斜部明示地図作成装置は、
等高線を含む地図における所定傾斜以下の部分に対し所定指標を表示することにより所定傾斜部表示地図を作成する装置であって、
前記地図上における少なくとも所定範囲に、所定規則に従いほぼ満遍なく中心点を設定する中心点設定手段と、
前記中心点設定手段により設定された全ての中心点について、各中心点を中心とし前記所定傾斜に対応する隣接等高線間の地図上の幅を直径とする円と前記等高線とが重ならない場合に、その円内および／または円近傍の所定位置に前記所定指標を表示する所定指標表示手段を備えることを特徴とする。
【００１０】
上記の所定傾斜に対応する隣接等高線間の地図上の幅は、地図の縮尺と等高線間隔（隣接等高線の標高差）に基づき算出される。
【００１１】
上記方法及び装置の何れにおいても、地図上における少なくとも所定範囲に、満遍なく中心点を設定し、その全ての中心点について、各中心点を中心とし前記所定傾斜に対応する隣接等高線間の地図上の幅を直径とする円と前記等高線とが重ならない場合に、その円内および／または円近傍の所定位置に前記所定指標を表示することにより、斜面の傾斜の向きにかかわらずその斜面の対象部分における隣接等高線間の平均的な傾斜が所定傾斜より小さいか否かを判定し、所定傾斜より小さい部分に対し所定指標を表示することができ、これにより、所定傾斜部表示地図を作成することができる。
【００１２】
対象部分の斜面の傾斜の向きの判定を要せずにその傾斜が所定傾斜より小さいか否かを判定し得るため、極めて効率的に所定傾斜以下の部分に対し所定指標を行って所定傾斜部表示地図を作成することが可能である。
【００１３】
(2)  上記所定傾斜部表示地図作成方法は、
上記所定傾斜が複数種あり、
上記地図上における少なくとも所定範囲に、前記各所定傾斜について同一および／または異なる中心点を満遍なく設定し、
前記各所定傾斜についての全ての中心点について、各中心点を中心とし前記所定傾斜に対応する隣接等高線間の地図上の幅を直径とする円と前記等高線とが重ならない場合に、その円内および／または円近傍の所定位置に、各所定傾斜毎の所定指標を表示するものとすることができる。
【００１４】
また上記所定傾斜部表示地図作成装置は、
上記所定傾斜が複数種あり、
上記中心点設定手段は、上記地図上における少なくとも所定範囲に、前記各所定傾斜について同一および／または異なる中心点を満遍なく設定するものであり、
上記所定指標表示手段は、前記各所定傾斜についての全ての中心点について、各中心点を中心とし前記所定傾斜に対応する隣接等高線間の地図上の幅を直径とする円と前記等高線とが重ならない場合に、その円内および／または円近傍の所定位置に、各所定傾斜毎の所定指標を表示するものとすることができる。
【００１５】
上記方法及び装置の何れにおいても、対象部分の斜面の傾斜の向きの判定を要せずに、その傾斜が各所定傾斜より小さいか否かを判定し得るため、極めて効率的に複数の所定傾斜以下の部分に対しそれぞれ所定指標を行って所定傾斜部表示地図を作成することが可能である。
【００１６】
作成した地図においては、何れかの所定傾斜とその傾斜の次に大きい傾斜の所定傾斜のうち大きい方の所定傾斜より小さくて小さい方の所定傾斜以上の傾斜の部分、並びに、最も小さい所定傾斜よりも小さい傾斜の部分を、各所定指標により識別することができる。
【００１７】
(3)  上記所定傾斜部表示地図作成方法は、
上記所定傾斜が複数種あり、
上記地図上における少なくとも所定範囲に、前記各所定傾斜について同一および／または異なる中心点を満遍なく設定し、
前記所定傾斜のうち最も小さい所定傾斜についての全ての中心点について、各中心点を中心とし前記所定傾斜に対応する隣接等高線間の地図上の幅を直径とする円と前記等高線とが重ならない場合に、その円内および／または円近傍の所定位置に、前記所定傾斜についての所定指標を表示し、
より大きい所定傾斜についての全ての中心点について、各中心点を中心とし前記所定傾斜に対応する隣接等高線間の地図上の幅を直径とする円と、前記等高線又はより小さい所定傾斜についての所定指標とが重ならない場合に、前記のより大きい所定傾斜についての円内および／または円近傍の所定位置に、前記のより大きい所定傾斜についての所定指標を表示するものとすることができる。
【００１８】
また上記所定傾斜部表示地図作成装置は、
上記所定傾斜が複数種あり、
上記中心点設定手段は、上記地図上における少なくとも所定範囲に、前記各所定傾斜について同一および／または異なる中心点を満遍なく設定するものであり、
上記所定指標表示手段は、前記所定傾斜のうち最も小さい所定傾斜についての全ての中心点について、各中心点を中心とし前記所定傾斜に対応する隣接等高線間の地図上の幅を直径とする円と前記等高線とが重ならない場合に、その円内および／または円近傍の所定位置に、前記所定傾斜についての所定指標を表示し、
より大きい所定傾斜についての全ての中心点について、各中心点を中心とし前記所定傾斜に対応する隣接等高線間の地図上の幅を直径とする円と、前記等高線又はより小さい所定傾斜についての所定指標とが重ならない場合に、前記のより大きい所定傾斜についての円内および／または円近傍の所定位置に、前記のより大きい所定傾斜についての所定指標を表示するものとすることができる。
【００１９】
上記方法及び装置の何れにおいても、対象部分の斜面の傾斜の向きの判定を要せずに、その傾斜が各所定傾斜より小さいか否かを判定し得るため、極めて効率的に複数の所定傾斜以下の部分に対しそれぞれ所定指標を表示して所定傾斜部表示地図を作成することが可能である。
【００２０】
またこの場合、より大きい所定傾斜についての中心点を中心とし、その所定傾斜に対応する隣接等高線間の地図上の幅を直径とする円と、等高線又はより小さい所定傾斜についての円であって等高線と重ならないものとが重ならない場合に、前記のより大きい所定傾斜についての円内および／または円近傍の所定位置に、前記のより大きい所定傾斜についての所定指標を表示するので、各所定傾斜より小さい傾斜部分に対する各所定指標が重ならない。
【００２１】
作成した地図においては、何れかの所定傾斜とその傾斜の次に大きい傾斜の所定傾斜のうち大きい方の所定傾斜より小さくて小さい方の所定傾斜以上の傾斜の部分、並びに、最も小さい所定傾斜よりも小さい傾斜の部分を、各所定指標により識別することができる。
【００２２】
(4)  本発明の所定傾斜部明示地図作成プログラムは、コンピュータに上記所定傾斜部表示地図作成方法を実行させるためのものである。
【００２３】
(5)  また本発明の所定傾斜部表示地図作成装置は、
上記地図の画像を記憶する地図画像記憶手段と、その地図画像記憶手段に記憶された地図画像を表示する地図画像表示手段を備え、
上記所定指標表示手段が、上記中心点設定手段により設定された全ての中心点について、各中心点を中心とし前記所定傾斜に対応する隣接等高線間の地図上の幅を直径とする円と前記等高線とが重ならない場合に、その円内および／または円近傍の所定位置について前記所定指標を記憶する所定指標記憶手段を有し、その所定指標記憶手段に記憶された所定指標を表示するものであり、
前記地図画像表示手段により表示される前記地図画像における対応位置に、前記所定指標表示手段により前記所定指標が表示されるものとすることができる。
【００２４】
この場合、地図画像表示手段により表示される地図画像における対応位置に、所定指標表示手段により所定指標が表示されることにより、等高線を含む地図に所定指標が表示された所定傾斜部表示地図が作成される。
【発明の効果】
【００２５】
本発明によれば、対象部分の斜面の傾斜の向きの判定を要せずにその傾斜が所定傾斜より小さいか否かを判定し得るため、極めて効率的に所定傾斜以下の部分に対し所定指標を行って所定傾斜部表示地図を作成することが可能である。
【発明を実施するための最良の形態】
【００２６】
本発明の実施の形態を、図面を参照しつつ説明する。尤も、本発明が以下の実施の形態に限定されるものでないことは言うまでもない。
【００２７】
(1)  図１は本発明の実施の形態の一例としての所定傾斜部明示地図作成装置、すなわち、等高線を含む地図における所定傾斜以下の部分に対し所定指標を表示することにより所定傾斜部表示地図を作成するコンピュータ利用装置のブロック図である。この所定傾斜部明示地図作成装置は、処理装置１０、補助記憶装置１２（ＨＤＤ等）、画面上の一点の位置情報を入力して各種データや動作命令等の入力を行なうためのポインティングデバイス１４、各種データや動作命令等の入力のためのキーボード１６、イメージスキャナ１８、ディスプレイ２０、及びプリンタ２２を備えてなる。なお、プリンタ２２に代えてプロッタやその他のハードコピー作成装置を用いることもできる。
【００２８】
処理装置１０は、ＣＰＵ（中央処理装置）、ＲＡＭ、ＲＯＭ、及び周辺機器等との接続のための入出力インターフェイスなど（図示せず。）からなり、所定傾斜部表示地図作成のための各種データの読み書き及び処理並びに周辺機器の制御等を行い、必要に応じ周辺機器等と連携して、上記中心点設定手段、所定指標表示手段、地図画像記憶手段、地図画像表示手段、所定指標記憶手段等の機能を実現する。
【００２９】
等高線を含む地図の例としては、紙若しくはその他のシート材又は種々の平面等に描かれた地図或いは地図画像等であって等高線を含むものを挙げることができる。好ましくは、縮尺表示を含むものである。この所定傾斜部明示地図作成装置においては、地図画像のディジタルデータを利用する。
【００３０】
地図画像のディジタルデータは、紙若しくはその他のシート材又は種々の平面等に描かれた地図の画像をイメージスキャナ１８で読み取ってディジタルデータに変換することにより得ることができ、これを利用することができる。また、予め準備された地図画像のディジタルデータをそのまま利用することもできる。地図のうち不要部分については、イメージスキャナ１８による読み取り自体を行なわないようにすることができるほか、地図画像のディジタルデータのうち不要部分を、画像を取り扱う各種ソフトウエアの作動下で削除することなども行い得る。地図画像のディジタルデータは、モノクロ２階調であってもよく、多色情報を含むものであってもよい。モノクロ２階調の地図画像のディジタルデータは、イメージスキャナ１８でモノクロ２階調で読み取るか、又は読み取った後でモノクロ２階調に変換することができる。
【００３１】
地図画像は、処理装置１０および／または補助記憶装置１２によりディジタルデータとして記憶する。ディジタルデータとして記憶された地図画像は、ディスプレイ２０に表示すること及びプリンタ２２によりハードコピーとして表示することができる。
【００３２】
地図画像のディジタルデータのうち、所定傾斜部明示地図の作成に用いるのは、等高線のデータである。等高線のみの地図画像のディジタルデータを用いることが好ましい。等高線以外の画像のディジタルデータを含むものであっても使用可能であるが、等高線以外の画像はなるべく少ないことが望まれる。等高線の色と他の文字や記号等の色が異なる場合、多色情報を含むディジタルデータを利用してそれらを識別し、等高線の色のデータのみを用いることができる他、等高線の色以外のデータを削除して用いることもできる。
【００３３】
所定傾斜θ１に対応する隣接等高線間の地図上の幅Ｌ１（水平距離）は、地図の縮尺と等高線間隔Ｈ（隣接等高線の標高差）に対応するデータ（例えば予め記憶されているものでもよく、その都度入力するものとしてもよい）に基づき算出することができる［Ｌ１＝Ｈ／ｔａｎθ１］。なお、例えば国土地理院の地図では、1/25000の地図の等高線間隔は10m、1/50000の地図の等高線間隔は20mである。
【００３４】
また、例えば地図上の縮尺表示の画像についてのピクセル座標から、地図上の水平距離に対応するピクセル数を算出することができる。縮尺表示における所定距離Ｍ（例えば図３における１００ｍ）に対応する長さ部分の両端のピクセル座標をそれぞれＸ１，Ｙ１及びＸ２，Ｙ２とすると、単位距離当りの縦横方向のピクセル数はＤ＝［（Ｘ１−Ｘ２）２＋（Ｙ１−Ｙ２）２］１／２（１／Ｍ）、Ｌ１に相当する縦横方向のピクセル数はＬ１×Ｄである。
【００３５】
中心点としては、この例の場合、地図画像の全てのピクセル座標を設定する。なお、中心点の設定は、これに限るものではなく、所定指標の漏れを防ぎ得る程度に満遍なく行なえばよい。例えば、所定傾斜に対応する隣接等高線間の地図上の幅よりも十分に小さい間隔で設定することができる。所定規則に従って設定することができ、必ずしも等間隔に限るものではない。
【００３６】
地図画像の全てのピクセル座標（中心点）について、各中心点を中心とし前記所定傾斜θ１に対応する隣接等高線間の地図上の幅Ｌ１を直径とする円周を構成するピクセル座標を算出し、そのピクセル座標が等高線を構成するピクセル座標と重ならない場合は、その円内（円周を含む）の全ピクセルを所定色とする。この所定色の円のディジタルデータを、所定指標のディジタルデータとして処理装置１０および／または補助記憶装置１２により記憶する。なお、円周を構成するピクセル座標が等高線を構成するピクセル座標と重ならないという条件を、所定の僅かな程度重なるという条件に置き換えたものは、所定傾斜をやや大きく設定したものと実質上同一である。また、前記円の円周内に等高線を包含しないことを条件として加えることもできる。この場合、所定傾斜に対応する隣接等高線間の地図上の幅を直径とする円内に閉曲線状の等高線が包含される場合を所定表示の対象外とするが、たとえそのような場合を所定表示の対象としても（すなわち前記円の円周内に閉曲線状の等高線を包含するか否かを問わず所定表示の対象としても）、危険な斜面の箇所を表示する目的を特に逸脱するものではない。
【００３７】
ディジタルデータとして記憶された所定指標と地図画像は、地図画像における対応位置に所定指標が位置する状態で、ディスプレイ２０に表示すること又はプリンタ２２によりハードコピーとして表示することができる。これにより、斜面の傾斜の向きにかかわらずその斜面の対象部分における隣接等高線間の平均的な傾斜が所定傾斜より小さいか否かを判定し、所定傾斜より小さい部分に対し所定指標を表示して所定傾斜部表示地図を作成することができる。
【００３８】
なお、所定指標としては、所定色とする他、例えば所定の記号、図形、文字等を用いることもできる。また、各中心点を中心とし幅Ｌを直径とする円内および／または円近傍の所定位置、例えばその円の円周、或いは各中心点を中心としＬ１を一辺の長さとする正方形又はその他の多角形の範囲内の全部又は外周部等について、所定指標を記憶して表示するものとすることができる。
【００３９】
(2)  所定傾斜をθ１、θ２及びθ３（θ１＜θ２＜θ３）の３種設定すると、所定傾斜θ１、θ２及びθ３にそれぞれ対応する隣接等高線間の地図上の幅Ｌ１、Ｌ２及びＬ３（水平距離）が算出される。
【００４０】
所定傾斜θ１、θ２及びθ３についての中心点は、何れも地図画像の全てのピクセル座標を設定する。尤も、所定傾斜毎に別個の規則に従って中心点を設定することにより、所定傾斜同士の間で中心点を一部又は全て変えるようにすることもできる。
【００４１】
(2-1)  次いで、各所定傾斜に対応する隣接等高線間の地図上の幅を用いて、各中心点に関する対応幅を直径とする円周を構成するピクセル座標を算出し、そのピクセル座標が等高線を構成するピクセル座標と重ならない場合は、その円内（円周を含む）を、各所定傾斜に対応する各所定のハッチングパターン（これに限るものではない）とする。この各所定傾斜に対応する各所定のハッチングパターン（θ１より小さい：パターン１、θ２より小さい：パターン２、θ３より小さい：パターン３）を、各所定傾斜に対応する所定指標のディジタルデータとして処理装置１０および／または補助記憶装置１２により記憶する。
【００４２】
記憶された所定指標と地図画像を、地図画像における対応位置に所定指標が位置する状態で、ディスプレイ２０に表示すること又はプリンタ２２によりハードコピーとして表示することにより、隣接等高線間の平均的な傾斜について各所定指標により識別することができる。
【００４３】
この場合、全パターンを重ねて表示すると、所定傾斜θ１よりも小さい傾斜の部分は３つのパターンが重なって表示され、所定傾斜θ２より小さくてθ１よりも大きい傾斜の部分はパターン２と３が重なって表示され、所定傾斜θ３より小さくてθ２よりも大きい傾斜の部分はパターン３が表示されることにより、それぞれを識別することができる。
【００４４】
また、より大きい所定傾斜よりも小さい傾斜についての所定指標を、より小さい所定傾斜よりも小さい傾斜についての所定指標により上書き消去した状態に表示すると、所定傾斜θ１よりも小さい傾斜の部分はパターン１（所定色１とすることもできる）が表示され、所定傾斜θ２より小さくてθ１よりも大きい傾斜の部分はパターン２（所定色２とすることもできる）が表示され、所定傾斜θ３より小さくてθ２よりも大きい傾斜の部分はパターン３（所定色３とすることもできる）が表示されることにより、それぞれを識別することができる。
【００４５】
(2-2)  一方、以下のような手段をとることもできる。
【００４６】
先ず、各所定傾斜に対応する隣接等高線間の地図上の幅を用いて、各中心点に関する対応幅を直径とする円周を構成するピクセル座標を算出し、最も小さい所定傾斜に対応する隣接等高線間の地図上の幅を直径とする円周を構成するピクセル座標が等高線を構成するピクセル座標と重ならない場合は、その円内（円周を含む）を、その所定傾斜に対応するパターン１（又は色）として処理装置１０および／または補助記憶装置１２により記憶する。
【００４７】
次いで、次に小さい所定傾斜に対応する隣接等高線間の地図上の幅を直径とする円周を構成するピクセル座標が、等高線を構成するピクセル座標又はそれよりも小さい所定傾斜に対応する隣接等高線間の地図上の幅を直径とする円を構成するピクセル座標と重ならない場合は、その円内（円周を含む）を、その所定傾斜に対応するパターン２（又は色）として処理装置１０および／または補助記憶装置１２により記憶する。
【００４８】
更に、次に大きい所定傾斜に対応する隣接等高線間の地図上の幅を直径とする円周を構成するピクセル座標が、等高線を構成するピクセル座標又はそれよりも小さい所定傾斜に対応する隣接等高線間の地図上の幅を直径とする円を構成するピクセル座標と重ならない場合は、その円内（円周を含む）を、その所定傾斜に対応するパターン３（又は色）として処理装置１０および／または補助記憶装置１２により記憶する。
【００４９】
この場合、記憶された所定指標と地図画像を、地図画像における対応位置に所定指標が位置する状態で、ディスプレイ２０に表示すること又はプリンタ２２によりハードコピーとして表示することにより、所定傾斜θ１よりも小さい傾斜の部分はパターン１が表示され、所定傾斜θ２より小さくてθ１よりも大きい傾斜の部分はパターン２が表示され、所定傾斜θ３より小さくてθ２よりも大きい傾斜の部分はパターン３が表示され、これにより、それぞれを識別することができる。
【００５０】
(3)  次に、所定傾斜部明示地図作成処理動作例の概略を示すフローチャートである図２を参照して説明する。
【００５１】
等高線及び縮尺表示を含む地図を、イメージスキャナ１８によりモノクロ２階調で読み取る。（Ｓ１）
【００５２】
読み取った地図画像のディジタルデータを処理装置１０および／または補助記憶装置１２により記憶する。
【００５３】
記憶した地図画像をディスプレイ２０に表示する。（Ｓ２）
【００５４】
ディスプレイ２０上の縮尺表示における所定距離に対応する長さ部分の両端をポインティングデバイス１４により指示してそれらのピクセル座標を入力する（キーボード１６により両端のピクセル座標又は両端間のピクセル数等のデータを入力することもできる）と共に、前記所定距離に対応する実際の距離、所定傾斜θ１、θ２及びθ３（２０度、４０度、５０度）、等高線間隔（隣接等高線の標高差）をキーボード１６により入力する。入力されたデータは処理装置１０および／または補助記憶装置１２により記憶する。（Ｓ３）
【００５５】
処理装置１０は、記憶されたデータから、各所定傾斜に対応する隣接等高線間の地図上の幅に相当する地図上の幅Ｌ１、Ｌ２及びＬ３と、単位距離当りの縦横方向のピクセル数を算出し、更にＬ１、Ｌ２及びＬ３に相当する縦横方向のピクセル数を算出する。（Ｓ４）
【００５６】
処理装置１０は、地図画像を構成するピクセル座標（中心点）を中心とし所定傾斜θ１に対応する隣接等高線間の地図上の幅Ｌ１を直径とする円周を構成するピクセル座標を算出する。次いで、その円周のピクセル座標が等高線を構成するピクセル座標と重ならない場合は、その円周及び円内（パターン１とする）を、指標Ａのディジタルデータとして処理装置１０および／または補助記憶装置１２により記憶する。この処理は、地図画像の全てのピクセル座標（中心点）について行う。（Ｓ５−８）
【００５７】
次に、処理装置１０は、地図画像を構成するピクセル座標（中心点）を中心とし所定傾斜θ２に対応する隣接等高線間の地図上の幅Ｌ２を直径とする円周を構成するピクセル座標を算出する。次いで、その円周のピクセル座標が等高線を構成するピクセル座標又は指標Ａの円（円周及び円内）と重ならない場合は、その円周及び円内（パターン２とする）を、指標Ｂのディジタルデータとして処理装置１０および／または補助記憶装置１２により記憶する。この処理は、地図画像の全てのピクセル座標（中心点）について行う。（Ｓ９−１２）
【００５８】
更に、処理装置１０は、地図画像を構成するピクセル座標（中心点）を中心とし所定傾斜θ３に対応する隣接等高線間の地図上の幅Ｌ３を直径とする円周を構成するピクセル座標を算出する。次いで、その円周のピクセル座標が等高線を構成するピクセル座標又は指標Ａの円又は指標Ｂの円と重ならない場合は、その円周及び円内（パターン３とする）を、指標Ｃのディジタルデータとして処理装置１０および／または補助記憶装置１２により記憶する。この処理は、地図画像の全てのピクセル座標（中心点）について行う。（Ｓ１３−１６）
【００５９】
記憶された指標Ａ−Ｃと地図画像（図３の所定傾斜部表示地図）を、地図画像における対応位置に指標Ａ−Ｃが位置する状態で、ディスプレイ２０に表示すると共にプリンタ２２によりハードコピーとして表示する。（Ｓ１７）
【図面の簡単な説明】
【００６０】
【図１】所定傾斜部明示地図作成装置のブロック図である。
【図２】所定傾斜部明示地図作成処理動作例の概略を示すフローチャートである。
【図３】所定傾斜部表示地図である。
【符号の説明】
【００６１】
１０    処理装置
１２    補助記憶装置
１４    ポインティングデバイス
１６    キーボード
１８    イメージスキャナ
２０    ディスプレイ
２２    プリンタ
Ａ      指標
Ｂ      指標
Ｃ      指標
【図１】
2006133253.tif 000003
【図２】
2006133253.tif 000004
【図３】
2006133253.tif 000005